(57)【要約】【課題】  十分な送液量を確保できるとともに、チャンネル内及びチューブ内での摺動抵抗を低減でき、チューブ肉厚を大きくすることが可能な内視鏡用注射針を低価で提供すること。【解決手段】  内視鏡用注射針１は、内視鏡のチャンネル内に挿通可能とされ先端に径方向内方に突出した係止部２が設けられた管部３と、管部３内を進退可能とされ、先端或いは基端の外径よりも大きく管部３の内径よりも小さい外径の大径部５Ａが外周面に一体若しくは別体で設けられた中空針部５と、先端が中空針部５の基端側に接続され管部３内を進退可能なワイヤ部６と、ワイヤ部６を管部３内で進退操作可能な操作部とを備えている。【選択図】  図２
2005152504.tif 000002
【特許請求の範囲】
【請求項１】
内視鏡のチャンネル内に挿通可能とされ先端に径方向内方に突出した係止部が設けられた管部と、
該管部内を進退可能とされ、先端或いは基端の外径よりも大きく前記管部の内径よりも小さい外径の大径部が外周面に一体若しくは別体に設けられた中空針部と、
先端が前記中空針部の基端側に接続され前記管部内を進退可能なワイヤ部とを備え、
前記大径部と前記係止部とが互いに当接されて密着可能とされていることを特徴とする内視鏡用注射針。
【請求項２】
前記大径部の先端側に前記係止部と密着可能な封止部材が設けられていることを特徴とする請求項１に記載の内視鏡用注射針。
【請求項３】
前記封止部材を変形させることによって前記係止部と密着可能とされていることを特徴とする請求項２に記載の内視鏡用注射針。
【請求項４】
前記管部に対して前記中空針部を押しこむことにより前記封止部材を変形させることを特徴とする請求項３に記載の内視鏡用注射針。
【請求項５】
前記大径部或いは前記係止部の少なくとも一方が弾性変形して前記係止部或いは前記大径部の他方と密着可能とされていることを特徴とする請求項１に記載の内視鏡用注射針。
【請求項６】
前記大径部の外径が先端から基端に向かって漸次大きくテーパ状に形成され、前記係止部の内径が前記大径部の先端側外径に合わせて基端側に向かって漸次大きくテーパ状に形成されていることを特徴とする請求項１に記載の内視鏡用注射針。
【請求項７】
先端に径方向内方に突出した係止部が設けられた管部と、
該管部内を進退可能とされ、先端或いは基端の外径よりも大きく前記管部の内径よりも小さい外径の大径部が外周面に設けられた中空針部と、
先端が前記中空針部の基端側に接続され前記管部内を進退可能なワイヤ部とを備え、
前記管部の内周面と摺動可能に接触する封止部材が前記大径部の先端に設けられていることを特徴とする内視鏡用注射針。
【請求項８】
前記大径部と前記係止部とが互いに当接されて密着可能とされていることを特徴とする請求項７に記載の内視鏡用注射針。
【請求項９】
前記封止部材を変形させることによって前記係止部と密着可能とされていることを特徴とする請求項７に記載の内視鏡用注射針。
【請求項１０】
前記管部に対して前記中空針部を押しこむことにより前記封止部材を変形させることを特徴とする請求項９に記載の内視鏡用注射針。
【請求項１１】
前記封止部材を変形させた状態の水密能力が、前記封止部材を変形させていない状態の水密能力より高いことを特徴とする請求項９又は１０に記載の内視鏡用注射針。
【請求項１２】
前記封止部材を変形させた状態で薬液の注入圧に耐えうる第１の水密能力と、
前記封止部材を変形させない状態で前記注入圧がかからない状態での第２の水密能力とを備え、
前記管部と前記封止部材との摺動抵抗が前記第２の水密能力を維持可能な大きさとされていることを特徴とする請求項９から１１の何れか一つに記載の内視鏡用注射針。
【請求項１３】
先端に径方向内方に突出した係止部が設けられた管部と、
該管部内を進退可能とされ、先端或いは基端の外径よりも大きく前記管部の内径よりも小さい外径の大径部が外周面に設けられた中空針部と、
先端が前記中空針部の基端側に接続され前記管部内を進退可能なワイヤ部とを備え、
前記管部の内周面と摺動可能に接触する封止部材が前記大径部の基端に設けられていることを特徴とする内視鏡用注射針。
【請求項１４】
先端に径方向内方に突出した係止部が設けられた管部と、
該管部内を進退可能とされ、先端或いは基端の外径よりも大きく前記管部の内径よりも小さい外径の大径部が外周面に設けられた中空針部と、
先端が前記中空針部の基端側に接続され前記管部内を進退可能なワイヤ部とを備え、
前記管部の内周面と摺動可能に接触する封止部材が前記大径部の側面に設けられていることを特徴とする内視鏡用注射針。
【請求項１５】
前記係止部が弾性部材で構成され、前記中空針部の先端が前記管部内を軸方向に移動する距離よりも軸方向基端側に長く形成されていることを特徴とする請求項１から１４の何れか一つに記載の内視鏡用注射針。
【請求項１６】
先端に蓋部が設けられた管部と、
該管部内を進退可能とされ、先端或いは基端よりも大きく前記管部の内径よりも小さい径の大径部が外周面に設けられた中空針部と、
先端が前記中空針部の基端側に接続され前記管部内を進退可能なワイヤ部とを備え、
前記蓋部が前記中空針部が貫通可能な軟性部材で構成されていることを特徴とする内視鏡用注射針。
【請求項１７】
管部と、
該管部内を進退可能とされ、先端或いは基端の外径よりも大きく前記管部の内径よりも小さい外径の大径部が外周面に設けられた中空針部と、
前記大径部の基端に設けられ、前記管部の内周面と摺動可能に接触する封止部材と、
前記管部内を進退可能とされ、先端が前記中空針部の基端側に接続され、前記封止部材が前記管部の先端で停止可能な長さに形成されたワイヤ部と、
前記ワイヤ部を進退操作可能とされ前記封止部材が前記管部の先端に移動したときに前記ワイヤ部の移動を停止可能な操作部とを備えていることを特徴とする内視鏡用注射針。
【請求項１８】
前記中空針部の中心軸と前記管部の中心軸とが交差して設けられ、前記中空針部の先端が前記管部の中心軸に沿って進退可能に前記ワイヤ部が屈曲されていることを特徴とする請求項１から１６の何れか一つに記載の内視鏡用注射針。
【請求項１９】
前記中空針部の本体側面を貫通する孔部が設けられ、
前記中空針部内にワイヤ部が接続されていることを特徴とする請求項１から１８の何れか一つに記載の内視鏡用注射針。
【発明の詳細な説明】
【技術分野】
【０００１】
本発明は、内視鏡用注射針に関する。
【背景技術】
【０００２】
内視鏡による手技の一つとして、内視鏡のチャンネルを通じて体腔内に注射針を導入し、体腔内の患部等に薬液等を注射するものがある。この際に使用される注射針として、中空針が接続された内側チューブと、この内側チューブを内部で進退自在とする外側チューブとを備える二重のチューブ構造とされたものが提案されている（例えば、特許文献１参照。）。
この内視鏡用注射針は、チャンネル内に挿入して体腔内に導入後、内側チューブを押しこむことによって外側チューブ先端から針を突き出して体腔内の組織部位に穿刺し、内側チューブ内を挿通する薬液を注射している。
なお、注射とは異なる分野であるが針を体腔内に挿入するものとして、生検のために中空針を患部に穿刺して吸引する吸引生検針が提案されている（例えば、特許文献２参照。）。
【特許文献１】特開２００１−５８００６号公報（第２図）
【特許文献２】米国特許第４７９１９３７号明細書（第１ａ図、第２ａ図）
【発明の開示】
【発明が解決しようとする課題】
【０００３】
しかしながら、上記従来の内視鏡用注射針は、二重のチューブ構造となっている上、内視鏡の細いチャンネルに通すために外径の制約があって、内側チューブの内径がさらに細くなってしまい、管路抵抗が大きくなってしまい、特に粘度の高い薬液の場合には送液が重くなってしまう課題があった。また、内側チューブの内径を確保するためには、外側チューブの外径を大きくしなければならないが、チャンネルとの摺動抵抗が大きくなってしまい、チャンネル内への挿通性が悪化して穿刺しにくいという課題があった。さらに、内径を大きく外径を小さくさせようとするとチューブの肉厚を薄くしなければならず、この場合にはチャンネル挿通時や患部への穿刺時にチューブが座屈して折れてしまう可能性があった。また、チューブ材質は通常樹脂であるのに対して中空針は金属からなるため、両者の接合は接着するしかなく高価なものとなっていた。
【０００４】
本発明は上記事情に鑑みて成されたものであり、チューブ肉厚やチューブ外径を最適形状に設定でき、十分な送液量の確保や、チャンネル内及びチューブ内での摺動抵抗の低減や、チューブの座屈耐性の向上を図ることができる内視鏡用注射針を低価で提供することを目的とする。
【課題を解決するための手段】
【０００５】
本発明は、上記課題を解決するため、以下の手段を採用する。
本発明に係る内視鏡用注射針は、内視鏡のチャンネル内に挿通可能とされ先端に径方向内方に突出した係止部が設けられた管部と、該管部内を進退可能とされ、先端或いは基端の外径よりも大きく前記管部の内径よりも小さい外径の大径部が外周面に一体若しくは別体に設けられた中空針部と、先端が前記中空針部の基端側に接続され前記管部内を進退可能なワイヤ部とを備え、前記大径部と前記係止部とが互いに当接されて密着可能とされていることを特徴とする。
【０００６】
この内視鏡用注射針は、中空針部が管部内に収納された状態で内視鏡のチャンネル内に挿入され、管部先端をチャンネル先端から突出させた状態でワイヤ部を先端側に前進させることによって中空針部を管部先端外方に突出させることができる。この際、大径部が係止部に当接されるまで突出させることによって両者が密着するので、管部と中空針部との間が水密状態とされて薬液は中空針部の内部のみを流通可能な状態にすることができる。
【０００７】
また、従来のように内外チューブによる二重構造ではないので、チューブ外径が同じでも内側のチューブが無い分管路径を大きく確保することができ、注入が容易な、或いは、管路径を従来と同じものとしてチューブ外径を小さくすることができ、チャンネルへの挿入抵抗が低減できる。さらに、管部の管路径を同様の大きさとして管部の肉厚を厚くすることができ、穿刺力を向上することができる。また、ワイヤ部に中空針部を接続するときに、金属同士の接続法である溶接等で接合することができ、製造原価を低減することができる。また、大径部を係止部に押し当てるまでは管部と中空針部とが接触しないので、中空針部を管部内に挿通させる際の摺動抵抗を減らして操作性を向上することができる。
【０００８】
また、本発明に係る内視鏡用注射針は、前記内視鏡用注射針であって、前記大径部の先端側に前記係止部と密着可能な封止部材が設けられていることを特徴とする。
この内視鏡用注射針は、封止部材によって大径部と係止部との密着性を高めることができ、生体に中空針部を刺して送液する際に中空針部の外周面からの液漏れを抑えることができる。
また、本発明に係る内視鏡用注射針は、前記内視鏡用注射針であって、前記封止部材を変形させることによって前記係止部と密着可能とされていることが好ましい。
また、本発明に係る内視鏡用注射針は、前記内視鏡用注射針であって、前記管部に対して前記中空針部を押しこむことにより前記封止部材を変形させることが好ましい。
【０００９】
また、本発明に係る内視鏡用注射針は、前記内視鏡用注射針であって、前記大径部或いは前記係止部の少なくとも一方が弾性変形して前記係止部或いは前記大径部の他方と密着可能とされていることが好ましい。
この内視鏡用注射針は、大径部或いは係止部の少なくとも一方の弾性変形によって、大径部と係止部との密着性を高めることができ、生体に中空針部を刺して送液する際に中空針部の外周面からの液漏れを抑えることができる。
【００１０】
また、本発明に係る内視鏡用注射針は、前記内視鏡用注射針であって、前記大径部の外径が先端から基端に向かって漸次大きくテーパ状に形成され、前記係止部の内径が前記大径部の先端側外径に合わせて基端側に向かって漸次大きくテーパ状に形成されていることが好ましい。
この内視鏡用注射針は、大径部と係止部とをテーパ面で接触させることができ、大径部と係止部とをより確実に密着させることができる。
【００１１】
また、本発明に係る内視鏡用注射針は、先端に径方向内方に突出した係止部が設けられた管部と、該管部内を進退可能とされ、先端或いは基端の外径よりも大きく前記管部の内径よりも小さい外径の大径部が外周面に設けられた中空針部と、先端が前記中空針部の基端側に接続され前記管部内を進退可能なワイヤ部とを備え、前記管部の内周面と摺動可能に接触する封止部材が前記大径部の先端に設けられていることを特徴とする。
この内視鏡用注射針は、大径部の先端に前記管部の内周面と接触する封止部材が設けられているので、中空針部を管部内に挿通している間でも中空針部の外周面側からの液漏れを確実に抑えることができる。
また、本発明に係る内視鏡用注射針は、前記内視鏡用注射針であって、前記大径部と前記係止部とが互いに当接されて密着可能とされていることが好ましい。
また、本発明に係る内視鏡用注射針は、前記内視鏡用注射針であって、前記封止部材を変形させることによって前記係止部と密着可能とされていることが好ましい。
また、本発明に係る内視鏡用注射針は、前記内視鏡用注射針であって、前記管部に対して前記中空針部を押しこむことにより前記封止部材を変形させることが好ましい。
【００１２】
また、本発明に係る内視鏡用注射針は、前記内視鏡用注射針であって、前記封止部材を変形させた状態の水密能力が、前記封止部材を変形させていない状態の水密能力より高いことを特徴とする。
また、本発明に係る内視鏡用注射針は、前記内視鏡用注射針であって、前記封止部材を変形させた状態で薬液の注入圧に耐えうる第１の水密能力と、前記封止部材を変形させない状態で前記注入圧がかからない状態での第２の水密能力とを備え、前記管部と前記封止部材との摺動抵抗が前記第２の水密能力を維持可能な大きさとされていることを特徴とする。
この内視鏡用注射針は、第２の水密能力を備えているので、注入圧がかからない状態で管部に対して封止部材を移動させても管部から薬液が漏れてしまうのを抑えることができる。また、第２の水密能力よりも高い第１の水密能力を備えているので、薬液の注入時に管部から薬液が漏れてしまうのを抑えることができる。
【００１３】
また、本発明に係る内視鏡用注射針は、先端に径方向内方に突出した係止部が設けられた管部と、該管部内を進退可能とされ、先端或いは基端の外径よりも大きく前記管部の内径よりも小さい外径の大径部が外周面に設けられた中空針部と、先端が前記中空針部の基端側に接続され前記管部内を進退可能なワイヤ部とを備え、前記管部の内周面と摺動可能に接触する封止部材が前記大径部の基端に設けられていることを特徴とする。
【００１４】
この内視鏡用注射針は、封止部材が上記の位置に配設されているので、封止部材が中空針部の先端側から脱落するのを抑えることができる。また、封止部材と中空針部の基端との距離を短くすることができ、大径部と管部との間を液体が流れることによって発生する乱流領域を小さく抑えることができる。さらに、大径部と管部との隙間に残ってしまう空気を排出することができる。
【００１５】
また、本発明に係る内視鏡用注射針は、先端に径方向内方に突出した係止部が設けられた管部と、該管部内を進退可能とされ、先端或いは基端の外径よりも大きく前記管部の内径よりも小さい外径の大径部が外周面に設けられた中空針部と、先端が前記中空針部の基端側に接続され前記管部内を進退可能なワイヤ部とを備え、前記管部の内周面と摺動可能に接触する封止部材が前記大径部の側面に設けられていることを特徴とする。
【００１６】
この内視鏡用注射針は、封止部材が上記の位置に配設されているので、中空針部の長さを短くすることができ、チャンネル内の挿通性を向上するとともに内視鏡の湾曲操作時に中空針部のチャンネルへの引っ掛かり部分を減らして先端からの中空針部の突出性を向上することができる。
【００１７】
また、本発明に係る内視鏡用注射針は、前記内視鏡用注射針であって、前記係止部が弾性部材で構成され、前記中空針部の先端が前記管部内を軸方向に移動する距離よりも軸方向基端側に長く形成されていることを特徴とする。
この内視鏡用注射針は、中空針部の先端を常に係止部内に配することができ、中空針部の先端が係止部に突き刺さって管部内から突き出せないという状態を回避することができる。
【００１８】
また、本発明に係る内視鏡用注射針は、先端に蓋部が設けられた管部と、該管部内を進退可能とされ、先端或いは基端よりも大きく前記管部の内径よりも小さい径の大径部が外周面に設けられた中空針部と、先端が前記中空針部の基端側に接続され前記管部内を進退可能なワイヤ部とを備え、前記蓋部が前記中空針部が貫通可能な軟性部材で構成されていることを特徴とする。
この内視鏡用注射針は、係止部の代わりに蓋部が配設されているので、係止部を設けることなく管部を安価に製造することができる。また、中空針部を先端から突出させるまでは管部内を滅菌状態に維持することができる。
【００１９】
また、本発明に係る内視鏡用注射針は、管部と、該管部内を進退可能とされ、先端或いは基端の外径よりも大きく前記管部の内径よりも小さい外径の大径部が外周面に設けられた中空針部と、前記大径部の基端に設けられ、前記管部の内周面と摺動可能に接触する封止部材と、前記管部内を進退可能とされ、先端が前記中空針部の基端側に接続され、前記封止部材が前記管部の先端で停止可能な長さに形成されたワイヤ部と、前記ワイヤ部を進退操作可能とされ前記封止部材が前記管部の先端に移動したときに前記ワイヤ部の移動を停止可能な操作部とを備えていることを特徴とする。
この内視鏡用注射針は、大径部によって中空針部の生体組織への刺し込み量を規定することができる、また、大径部の基端に封止部材があるので、中空針部の突出量が変化しても液漏れを防ぐことができる。
【００２０】
また、本発明に係る内視鏡用注射針は、前記内視鏡用注射針であって、前記中空針部の中心軸と前記管部の中心軸とが交差して設けられ、前記中空針部の先端が前記管部の中心軸に沿って進退可能に前記ワイヤ部が屈曲されていることを特徴とする。
この内視鏡用注射針は、中空針部を管部先端から突出させる際に、中空針部の先端を管部の中心軸に沿って移動しやすくすることができ、係止部に針先が引っ掛るのを抑えることができる。この際、従来のようにチューブに熱成形等で曲がり癖をつけるのと異なりワイヤを屈曲させるので、安価な加工ができるとともに屈曲状態を安定的に維持することができる。
【００２１】
また、本発明に係る内視鏡用注射針は、前記内視鏡用注射針であって、前記中空針部の本体側面を貫通する孔部が設けられ、前記中空針部内にワイヤ部が接続されていることを特徴とする。
この内視鏡用注射針は、ワイヤ部を中空針部の外周面に接続する場合よりも中空針部の径を小さくすることができる。したがって、管部径をより小さくすることができる。
【発明の効果】
【００２２】
本発明によれば、この内視鏡用注射針によれば、管路抵抗を小さくして粘度の高い液体も注入することができる。また、内視鏡のチャンネルとの摩擦抵抗を減少してチャンネル挿通性を向上することができる。さらに、座屈に対する抵抗を高めてチャンネルへの挿通時や取扱時に発生する折れを減少することができる。また、従来のように中空針とチューブとの接着よりも低コストで両者を接合することができる。
【発明を実施するための最良の形態】
【００２３】
本発明に係る内視鏡用注射針の第１の実施形態について、図１から図４を参照して説明する。
本実施形態に係る内視鏡用注射針１は、図１及び図２に示すように、内視鏡のチャンネル内に挿通可能とされ先端に径方向内方に突出した係止部２が設けられた管部３と、管部３内を進退可能とされ、先端或いは基端の外径よりも大きく管部３の内径よりも小さい外径の大径部５Ａが外周面に一体若しくは別体で設けられた中空針部５と、先端が中空針部５の基端側に接続され管部３内を進退可能なワイヤ部６と、ワイヤ部６を管部３内で進退操作可能な操作部７とを備えている。
【００２４】
管部３はフッ素やポリアミド、ポリエチレン等の樹脂等で構成されており、先端が係止部２によって、中空針部５の本体は通過可能であるが大径部５Ａは通過できない形状とされている。
大径部５Ａの先端側には係止部２と密着可能とされて管部３の内径よりも小さい外径で樹脂からなるＯリング（封止部材）８が設けられており、大径部５Ａが係止部２に押付けられたときに水密可能とされている。
Ｏリング８は、中空針部５からの脱落防止のため、中空針部５の外周面に圧入され、或いは内周面が平坦に形成されているのが好ましく、Ｏリング８の内面と中空針部５の外周面とを荒らして、互いの摩擦抵抗を高めるものとしてもよい。
なお、Ｏリング８は、断面形状が円形以外の長円形、楕円形、四角形等）でもよい。
【００２５】
ワイヤ部６は、例えば、外径が０．３〜０．５ｍｍのステンレス製単線ワイヤとされて、中空針部５の基端側外周面にロー付け、溶接等の金属同士の接続方法によって接合されている。
操作部７は、管部３の基端に接続され軸方向に貫通孔１０ａが設けられた本体１０と、貫通孔１０ａ内をスライド可能に形成されワイヤ部６の基端が接続されたスライド部１１とを備えている。
スライド部１１も軸方向に貫通孔１１ａが設けられており、基端に設けられた口金１２から薬液を注入可能とされている。
【００２６】
次に、本実施形態に係る内視鏡用注射針１の使用方法、及び作用・効果について説明する。
まず、中空針部５の先端が管部３内に収納された状態で内視鏡のチャンネル内に挿入する。
内視鏡の先端から管部３先端を突出した後、本体１０に対してスライド部１１を内部に押し込んでワイヤ部を管部３先端側に前進させる。
この際、ワイヤ部６先端に接続された中空針部５が管部３内を前進する。
第２の水密能力を備えているので、注入圧がかからない状態で管部に対して封止部材を移動させても管部から薬液が漏れてしまうのを抑えることができる。
中空針部５の先端側が管部３先端から突出したとき、Ｏリング８が係止部２に当接して中空針部５が一旦停止する。この状態からそのままスライド部１１を押しこむと、図３に示すように、Ｏリング８が係止部２に押付けられて弾性変形する。こうして、中空針部５と管部３とが水密状態とされる。このとき、スライド部１１のＡ部が本体１０に圧入され、スライド部１１が本体１０に押し込まれた状態で固定される。
【００２７】
その後、管部３を内視鏡の先端から更に突き出すことによって中空針部５を体内組織に穿刺する。
そして、薬液が挿入された口金１２にシリンジ等を装着して操作することによって、薬液を管部３内に注入し、中空針部５を介して体内組織に注入する。
【００２８】
この内視鏡用注射針１によれば、大径部５Ａが係止部２に当接されるまで中空針部５を突出させることによって両者が密着するので、管部３と中空針部５との間が水密状態とされて薬液は中空針部５の内部のみを流通可能な状態にする水密能力（第１の水密能力）を得ることができ、薬液の注入時に管部３から薬液が漏れてしまうのを抑えることができる。
また、従来のように内外チューブによる二重構造ではないので、チューブ外径が同じでも内側のチューブが無い分管路径を大きく確保することができる。例えば、外側チューブの内径及び外径をそれぞれ１．７ｍｍ、２．４ｍｍ、内側チューブの内径及び外径をそれぞれ０．８５ｍｍ、１．５５ｍｍとした従来の二重チューブ式の注射針の場合、図４（ａ）に示すように、管路の断面積Ａ部分のみに薬液が流通可能とされるが、管部３の内径及び外径を外側チューブと同様にした場合には、図４（ｂ）に示すように、断面積Ｂ部分が流通可能とされるので、断面積を約３８５％に増やすことができる。これにより、１．５〜２．５ｍと長い管部３内面の管路抵抗を大幅に減少することができ、粘性の高い薬液であっても従来よりも軽い送液を行うことができる。
【００２９】
また、管路径を従来と同じ大きさとして管部３の外径を小さくすることができる。したがって、内視鏡のチャンネルとのクリアランスを大きくとることができ、チャンネル内の挿通性を向上することができる。さらに、管部３を内視鏡内に押しこんで中空針部５を体内組織へ穿刺する際、チャンネルとの摩擦抵抗を小さくすることができ、組織への穿刺性能を向上（穿刺力量を軽く）することができる。
【００３０】
また、薬液の流通可能な断面積及び管部３の外径を従来と同様の大きさとして管部３の肉厚を厚くすることができる。この場合、管部３の座屈に対する強度を高くすることができ、内視鏡挿入時や組織への穿刺時に管部３の折れを抑えることができる。
また、ワイヤ部６と中空針部５とを接続するときに、金属同士の接続法である溶接等で接合することができ、安価なものを提供することができる。また、大径部５Ａを係止部２に押し当てるまでは管部３内周面にＯリング８が接触しないので、薬液の注入圧がかからない状態で管部３に対してＯリング８を移動させても管部３から薬液が漏れてしまうのを抑えることができる水密能力（第２の水密能力）を得ることができる程度に中空針部５を管部３内に挿通させる際の摺動抵抗を減らして操作性を向上することができる。
【００３１】
また、ワイヤ部６を中空針部５の外周面に接続しているので、従来と同様に送液管路を直線状に維持することができ、粘性の高い薬液でも容易に送液することができる。
また、管部３の先端側で硬性部材からなるものは中空針部５のみであるから、中空針部の長さを短くすることによって、特に消化管等に使用する際のように内視鏡の先端を最大２４０度まで湾曲させなければならないような場合であっても、内視鏡への挿入や、針の突き出しを軽く行うことができる。
【００３２】
次に、第２の実施形態について図５を参照して説明する。
なお、上述した第１の実施形態と同様の構成要素には同一符号を付すとともに説明を省略する。
第２の実施形態と第１の実施形態との異なる点は、本実施形態に係る内視鏡用注射針１３のＯリング８が大径部５Ａの基端側に配されており、管部３の内周面と摺動可能に接触している点である。
【００３３】
この内視鏡用注射針１３も第１の実施形態と同様の使用方法、及び作用・効果を奏することができるが、Ｏリング８が中空針部５の先端から脱落することを確実に抑えることができ、管部３と中空針部５との水密状態をより好適に維持することができる。
また、薬液が中空針部５の内部に流入する際、大径部５Ａの基端側で乱流の発生領域を小さく抑えることができる。
さらに、大径部５Ａと管部３との隙間への空気の流入を防止することができる。
【００３４】
次に、第３の実施形態について図６を参照して説明する。
なお、上述した他の実施形態と同様の構成要素には同一符号を付すとともに説明を省略する。
第３の実施形態と第２の実施形態との異なる点は、本実施形態に係る内視鏡用注射針１５のＯリング８が、大径部５Ａの側面に配されているとした点である。
また、大径部５Ａの側面には、Ｏリング８の脱落防止用にＯリング８が係合可能な溝１６が設けられている。
【００３５】
この内視鏡用注射針１５も第２の実施形態と同様の使用方法によって同様の作用・効果を奏することができるが、中空針部５の長さを短くすることができ、チャンネル内の挿通性を向上するとともに内視鏡の湾曲操作時に中空針部５のチャンネルへの引っ掛かり部分を減らして先端からの中空針部５の突出性を向上することができる。
また、Ｏリング８が中空針部５の前後方向共に動いてしまうのを防止できる。
【００３６】
次に、第４の実施形態について図７を参照して説明する。
なお、上述した他の実施形態と同様の構成要素には同一符号を付すとともに説明を省略する。
第４の実施形態と第１の実施形態との異なる点は、本実施形態に係る内視鏡用注射針１７は、大径部１８が弾性変形して係止部２に密着可能とされている点である。
【００３７】
この内視鏡用注射針１７も第１の実施形態と同様の使用方法によって同様の作用・効果を得ることができるが、大径部１８が弾性変形して係止部２に密着可能とされているので、大径部１８と係止部２との密着性をより向上することができる。
また、大径部１８が封止部材としての機能を兼ねるので、製造費用を安価とすることができる。
【００３８】
次に、第５の実施形態について図８を参照して説明する。
なお、上述した他の実施形態と同様の構成要素には同一符号を付すとともに説明を省略する。
第５の実施形態と第１の実施形態との異なる点は、本実施形態に係る内視鏡用注射針２０が、図８（ａ）に示すように、係止部２１に封止部材２１Ａが配されて弾性変形可能とされて大径部５Ａに密着可能とされている点である。
この内視鏡用注射針２０によれば、大径部５Ａを係止部２１に当接させた際、図８（ｂ）に示すように、係止部２１が大径部５Ａに密着されるので、上記第４の実施形態と同様の作用・効果を得ることができる。
また、封止部材２１Ａが管部３に対して移動しないので、第１実施形態のように中空針部からの封止部材の脱落を気にしなくてもよい。
【００３９】
次に、第６の実施形態について図９を参照して説明する。
なお、上述した他の実施形態と同様の構成要素には同一符号を付すとともに説明を省略する。
第６の実施形態と上記他の実施形態との異なる点は、本実施形態に係る内視鏡用注射針２２は、管部２３の先端に蓋部２４が設けられているとした点である。
この蓋部２４は、中空針部５が貫通可能な樹脂等からなる軟性部材で構成されている。
【００４０】
この内視鏡用注射針２２は、上記他の実施形態と同様に内視鏡のチャンネル内に挿入して内視鏡の先端から管部２３先端を突出した後、スライド部１１を操作して中空針部５を管部３内に前進させる。
中空針部５の先端が蓋部２４に至ったとき、スライド部１１を更に押し込んで蓋部２４を貫通させて管部２３先端から突出させる。このとき、蓋部２４と中空針部５の外周面とが密着状態となって水密状態が維持される。
【００４１】
この内視鏡用注射針２２によれば、係止部の代わりに蓋部２４が管部２３の先端に配設されているので、係止部を設ける加工が必要なく管部２３を安価に製造することができる。また、中空針部５を先端から突出させるまでは管部２３内を蓋部２４によって密閉状態に維持することができ、滅菌状態を維持することができる。
【００４２】
次に、第７の実施形態について図１０を参照して説明する。
なお、上述した他の実施形態と同様の構成要素には同一符号を付すとともに説明を省略する。
第７の実施形態と第１の実施形態との異なる点は、本実施形態に係る内視鏡用注射針２５は、大径部２６の外径が先端から基端に向かって漸次大きくテーパ状に形成され、係止部２７の内径が大径部２６の先端側外径に合わせて基端側に向かって漸次大きくテーパ状に形成されているとした点である。
この内視鏡用注射針２５は、第１の実施形態と同様の使用方法によって同様の作用・効果を得ることができるが、テーパ面を大径部２６と係止部２７との接触面とすることができ、より大きい表面積で両者を密着させることができる。また、Ｏリング８等が不要なので、Ｏリング８等の脱落を考慮する必要がなく、さらに、製造コストを低価にすることができる。
【００４３】
次に、第８の実施形態について図１１を参照して説明する。
なお、上述した他の実施形態と同様の構成要素には同一符号を付すとともに説明を省略する。
第８の実施形態と第１の実施形態との異なる点は、本実施形態に係る内視鏡用注射針２８は、係止部３０が樹脂等からなる弾性部材で構成され、中空針部５の先端が管部３１内を軸方向に移動する距離よりも係止部３０が軸方向基端側に長く形成されているとした点である。
【００４４】
この内視鏡用注射針２８は、第１の実施形態と同様の使用方法によって同様の作用・効果を得ることができるが、中空針部５が管部３１内にあるときには先端が常に係止部３０内に配される状態となるので、針の先端が係止部３０に突き刺さって管部３１内から突き出せないという状態を回避できる。そのため、針先からＯリング８が脱落するのを防止することができる。また、係止部３０が弾性部材で構成されているので、チャンネル内の挿通性を良好にすることができる。
【００４５】
次に、第９の実施形態について図１２を参照して説明する。
なお、上述した他の実施形態と同様の構成要素には同一符号を付すとともに説明を省略する。
第９の実施形態と第２の実施形態との異なる点は、本実施形態に係る内視鏡用注射針３２のワイヤ部３３が、Ｏリング８が管部３５の先端で停止可能な長さに形成され、操作部３６が、Ｏリング８が管部３５の先端で停止可能な位置でワイヤ部３３の移動を停止可能とされている点である。
【００４６】
この内視鏡用注射針３２は、第２の実施形態のように大径部５Ａと係止部２とを当接して中空針部５の位置決めをする代わりに、ワイヤ部３３の長さを予め所定の長さとして操作部３６を操作することによって中空針部５の位置決めを行うことができる。また、大径部５Ａによって中空針部５の生体組織への刺し込み量を規定することができる、さらに、大径部５Ａの基端にＯリング８があるので、中空針部５の突出量が変化しても中空針部５外周面から管部３５外への液漏れを防ぐことができる。
【００４７】
次に、第１０の実施形態について図１３を参照して説明する。
なお、上述した他の実施形態と同様の構成要素には同一符号を付すとともに説明を省略する。
第１０の実施形態と第１の実施形態との異なる点は、本実施形態に係る内視鏡用注射針３７は、Ｏリング８が管部３の内周面と摺動可能に接触して配されているとした点である。
この内視鏡用注射針３７は、第１の実施形態と同様の使用方法によって同様の作用・効果を得ることができるが、中空針部５が管部３内に収納されている状態でもＯリング８が管部３の内周面に接触しているので、中空針部５外周面から管部３外への液漏れを防ぐことができる。
【００４８】
次に、第１１の実施形態について図１４を参照して説明する。
なお、上述した他の実施形態と同様の構成要素には同一符号を付すとともに説明を省略する。
第１１の実施形態と上記他の実施形態との異なる点は、本実施形態に係る内視鏡用注射針３８は、中空針部５の中心軸Ｃ１と管部３の中心軸Ｃ２とが交差して設けられ、中空針部５の先端が管部３の中心軸に沿って進退可能にワイヤ部４０が屈曲されているとした点である。
【００４９】
この内視鏡用注射針３８は、上記の構成を備えているので、中空針部５を管部３先端から突出させる際に、中空針部５の中心軸Ｃ１と管部３の中心軸Ｃ２とを同軸上に配するように加工組立するよりも容易に中空針部５の先端を管部３の中心軸Ｃ２上に配することができる。したがって、中空針部５を先端に移動する際に係止部２に針先が引っ掛るのを抑えることができる。この際、従来のようにチューブに熱成形等で曲がり癖をつけるのと異なりワイヤ部４０を屈曲させるので、安価な加工ができるとともに屈曲状態を安定的に維持することができる。
【００５０】
次に、第１２の実施形態について図１５を参照して説明する。
なお、上述した他の実施形態と同様の構成要素には同一符号を付すとともに説明を省略する。
第１２の実施形態と上記他の実施形態との異なる点は、本実施形態に係る内視鏡用注射針４１の中空針部４２の本体側面を貫通する孔部４３が設けられ、中空針部５内にワイヤ部６が接続されているとした点である。
孔部４３の開口面積は中空針部５の内径面積よりも大きい断面積に形成されている。したがって、中空針部５の内径面積が薬液の送液管路内で一番小さい面積とされている。
ワイヤ部６は、中空針部５内にカシメ等の方法によって接続されている。
【００５１】
この内視鏡用注射針４１は、上記他の実施形態のようにワイヤ部を中空針部の外周面に接続する場合よりも、中空針部の径を小さくすることができる。したがって、管部３の外径をより小さくすることができ、チャンネル内への挿通性を向上させ、中空針部５の穿刺性を向上させることができる。また、管部３の肉厚をさらに厚くすることもでき、耐座屈性を向上することができる。
【００５２】
なお、本発明の技術範囲は上記実施の形態に限定されるものではなく、本発明の趣旨を逸脱しない範囲において種々の変更を加えることが可能である。
例えば、第１の実施形態ではＯリング８を大径部５Ａと係止部２との間の位置に配しているが、図１６に示すように、Ｏリング８がなくても大径部５Ａと係止部２とが直接密着可能であれば構わない。
【図面の簡単な説明】
【００５３】
【図１】本発明に係る第１の実施形態における内視鏡用注射針を示す側面図である。
【図２】本発明に係る第１の実施形態における内視鏡用注射針を示す軸方向に沿った断面図である。
【図３】本発明に係る第１の実施形態における内視鏡用注射針の要部を示す軸方向に沿った断面図である。
【図４】本発明に係る第１の実施形態における内視鏡用注射針の軸方向に鉛直方向の断面図である。
【図５】本発明に係る第２の実施形態における内視鏡用注射針の要部を示す軸方向に沿った断面図である。
【図６】本発明に係る第３の実施形態における内視鏡用注射針の要部を示す軸方向に沿った断面図である。
【図７】本発明に係る第４の実施形態における内視鏡用注射針の要部を示す軸方向に沿った断面図である。
【図８】本発明に係る第５の実施形態における内視鏡用注射針の要部を示す軸方向に沿った断面図である。
【図９】本発明に係る第６の実施形態における内視鏡用注射針の要部を示す軸方向に沿った断面図である。
【図１０】本発明に係る第７の実施形態における内視鏡用注射針の要部を示す軸方向に沿った断面図である。
【図１１】本発明に係る第８の実施形態における内視鏡用注射針の要部を示す軸方向に沿った断面図である。
【図１２】本発明に係る第９の実施形態における内視鏡用注射針を示す軸方向に沿った断面図である。
【図１３】本発明に係る第１０の実施形態における内視鏡用注射針の要部を示す軸方向に沿った断面図である。
【図１４】本発明に係る第１１の実施形態における内視鏡用注射針の要部を示す軸方向に沿った断面図である。
【図１５】本発明に係る第１２の実施形態における内視鏡用注射針の要部を示す軸方向に沿った断面図である。
【図１６】本発明に係る他の実施形態における内視鏡用注射針の要部を示す軸方向に沿った断面図である。
【符号の説明】
【００５４】
１、１３、１５、１７、２０、２２、２５、２８、３２、３７、３８、４１  内視鏡用注射針
２、２７、３０  係止部
３、２３、３１、３５  管部
５、４２  中空針部
５Ａ、１８、２６  大径部
６、３３、４０  ワイヤ部
８  Ｏリング（封止部材）
４３  孔部
【図１】
2005152504.tif 000003
【図２】
2005152504.tif 000004
【図３】
2005152504.tif 000005
【図４】
2005152504.tif 000006
【図５】
2005152504.tif 000007
【図６】
2005152504.tif 000008
【図７】
2005152504.tif 000009
【図８】
2005152504.tif 000010
【図９】
2005152504.tif 000011
【図１０】
2005152504.tif 000012
【図１１】
2005152504.tif 000013
【図１２】
2005152504.tif 000014
【図１３】
2005152504.tif 000015
【図１４】
2005152504.tif 000016
【図１５】
2005152504.tif 000017
【図１６】
2005152504.tif 000018